(57)【要約】      （修正有）【課題】パネル部材の連続性を損なうことなく側部の隙間を閉塞することができる移動間仕切装置を提供する。【解決手段】一対のパネル部材４，４と、一対のパネル部材４，４を支持する一対のパネル支持体７，７Ａと、を有し、吊支部材９，９を介して天井に設けられる誘導路に吊支され、誘導路に沿って移動可能な複数の間仕切パネル１Ａが連接されることで空間を仕切る移動間仕切装置であって、複数の間仕切パネル１Ａの少なくともいずれか一つは、一対のパネル部材４，４の対向面間に側部閉塞部材２０を連接方向に進退可能に保持する側部閉塞装置２を有する。【選択図】図３
2019143337.tif 000002
【特許請求の範囲】
【請求項１】
一対のパネル部材と、一対の前記パネル部材を支持する一対のパネル支持体と、を有し、吊支部材を介して天井に設けられる誘導路に吊支され、該誘導路に沿って移動可能な複数の間仕切パネルが連接されることで空間を仕切る移動間仕切装置であって、
複数の前記間仕切パネルの少なくともいずれか一つは、一対の前記パネル部材の対向面間に側部閉塞部材を連接方向に進退可能に保持する側部閉塞装置を有することを特徴とする移動間仕切装置。
【請求項２】
一方の前記パネル支持体の少なくとも一部は、一対のパネル部材の連接方向中心部側に寄せて配置され、前記側部閉塞装置を支持していることを特徴とする請求項１に記載の移動間仕切装置。
【請求項３】
前記一方のパネル支持体は、前記側部閉塞部材側に延び一方の前記吊支部材が取り付けられる延設体を支持していることを特徴とする請求項２に記載の移動間仕切装置。
【請求項４】
前記パネル部材は、透光性を有していることを特徴とする請求項１ないし３のいずれかに記載の移動間仕切装置。
【請求項５】
前記側部閉塞装置を有する前記間仕切パネルの前記パネル部材は、他の前記間仕切パネルの前記パネル部材と連接方向の寸法が略同一であることを特徴とする請求項１ないし４のいずれかに記載の移動間仕切装置。
【請求項６】
前記側部閉塞装置を有する前記間仕切パネルの前記パネル部材は、他の前記間仕切パネルの前記パネル部材の連接方向の寸法よりも前記側部閉塞装置の連接方向の寸法分長尺であることを特徴とする請求項４に記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールにローラを有する吊支部材を介して吊支され、該レールに沿って移動可能な間仕切パネルを連接して所定の区画に仕切って、所望の小区画のレイアウトを実現している。このような移動間仕切装置にあっては、連接される間仕切パネルにより室内が天井から床に亘って仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される移動間仕切装置は、間仕切パネルの厚み方向に対向して配設される一対の透光パネル部材と、一対の透光パネル部材の周囲を取り囲むいわゆる四方枠形状の枠体と、を備えている。枠体は、一対の透光パネル部材の上辺に沿って配置される上部横枠と、一対の透光パネル部材の下辺に沿って配置される下部横枠と、一対の透光パネル部材の両側辺に沿って配置される一対の縦枠と、から構成されている。一対の透光パネル部材の重量は、下部横枠と連結された一対の縦枠によって支持されている。この一対の縦枠は、上部横枠と連結されており、該上部横枠に取り付けられた吊支部材によりレールに吊支されている。
【０００４】
また、特許文献２に示されるように、部屋の壁部と最後尾の間仕切パネルとの間に配置され、側部閉塞部材を最後尾の間仕切パネルに向けて進出させて壁部と最後尾の間仕切パネルの側部との隙間を閉塞する側部閉塞装置が知られている。
【先行技術文献】
【特許文献】
【０００５】
【特許文献１】特開２０１７−２５８０号公報（第５頁、第１図）
【特許文献２】特開平８−９３３５０号公報（第４頁、第５図）
【発明の概要】
【発明が解決しようとする課題】
【０００６】
しかしながら、特許文献１の移動間仕切装置における複数の間仕切パネルを連接し、最後尾の間仕切パネルと壁部との隙間を特許文献２の側部閉塞装置の側部閉塞部材によって閉塞すると、壁部と間仕切パネルとの間に側部閉塞装置と側部閉塞部材とが連接方向に並んだ状態となり、複数の間仕切パネルを連接したことによる各透光パネルの連続性が別体の側部閉塞装置によって損なわれてしまうという問題があった。
【０００７】
本発明は、このような問題点に着目してなされたもので、パネル部材の連続性を損なうことなく側部の隙間を閉塞することができる移動間仕切装置を提供することを目的とする。
【課題を解決するための手段】
【０００８】
前記課題を解決するために、本発明の移動間仕切装置は、
一対のパネル部材と、一対の前記パネル部材を支持する一対のパネル支持体と、を有し、吊支部材を介して天井に設けられる誘導路に吊支され、該誘導路に沿って移動可能な複数の間仕切パネルが連接されることで空間を仕切る移動間仕切装置であって、
複数の前記間仕切パネルの少なくともいずれか一つは、一対の前記パネル部材の対向面間に側部閉塞部材を連接方向に進退可能に保持する側部閉塞装置を有することを特徴としている。
この特徴によれば、複数の間仕切パネルを連接し、間仕切パネルと壁部との隙間を側部閉塞部材によって閉塞した際に、間仕切パネルと壁部との間に側部閉塞部材が配置されるだけであることから、パネル部材の連続性を持った印象を与えられる。
【０００９】
一方の前記パネル支持体の少なくとも一部は、一対のパネル部材の連接方向中心部側に寄せて配置され、前記側部閉塞装置を支持していることを特徴としている。
この特徴によれば、一方のパネル支持体が一対のパネル部材の連接方向中心部側に寄せて配置されることから、一対のパネル部材間に形成されるスペースに側部閉塞装置を配置することができるとともに、側部閉塞装置を支持するための構成をコンパクトにすることができる。
【００１０】
前記一方のパネル支持体は、前記側部閉塞部材側に延び一方の前記吊支部材が取り付けられる延設体を支持していることを特徴としている。
この特徴によれば、側部閉塞装置の重量を支持するパネル支持体を、該側部閉塞装置の上方にて吊支部材によって吊支することができるため、側部閉塞装置の重量バランスを取ることができる。
【００１１】
前記パネル部材は、透光性を有していることを特徴としている。
この特徴によれば、開放感を演出することができる。
【００１２】
前記側部閉塞装置を有する前記間仕切パネルの前記パネル部材は、他の前記間仕切パネルの前記パネル部材と連接方向の寸法が略同一であることを特徴としている。
この特徴によれば、複数の前記間仕切パネルの少なくとも一つと他の間仕切パネルとの統一感を演出することができる。
【００１３】
前記側部閉塞装置を有する前記間仕切パネルの前記パネル部材は、他の前記間仕切パネルの前記パネル部材の連接方向の寸法よりも前記側部閉塞装置の連接方向の寸法分長尺であることを特徴としている。
この特徴によれば、同じ幅の透光領域を確保できることから、複数の間仕切パネルを連接した際の見栄えが良い。
【図面の簡単な説明】
【００１４】
【図１】本発明の実施例における移動間仕切装置を示す斜視図である。
【図２】移動間仕切装置により部屋を仕切った状態を示す概略図である。
【図３】最後尾の間仕切パネルの構造を示す分解斜視図である。
【図４】上部閉塞部材及び下部閉塞部材の収納状態を示す縦断面図である。
【図５】パネル本体の上端部を示す上面図である。
【図６】側部閉塞装置の上端部を示す上面図である。
【図７】パネル本体に設置された側部閉塞装置を示す模式図である。
【図８】（ａ）は、収納状態における側部閉塞装置を示す模式図であり、（ｂ）は、閉塞状態における側部閉塞装置を示す模式図である。
【図９】（ａ），（ｂ）は、最後尾の間仕切パネルによる天井、床、壁部との間の隙間の閉塞態様を示す模式図である。
【図１０】（ａ），（ｂ）は、図９に引き続き、最後尾の間仕切パネルによる天井、床、壁部との間の隙間の閉塞態様を示す模式図である。
【図１１】変形例における最後尾の間仕切パネルを備える移動間仕切装置により部屋を仕切った状態を示す概略図である。
【発明を実施するための形態】
【００１５】
本発明に係る移動間仕切装置を実施するための形態を実施例に基づいて以下に説明する。
【実施例】
【００１６】
実施例に係る移動間仕切装置につき、図１から図１１を参照して説明する。以下、図２の紙面手前側及び図４の紙面右側を移動間仕切装置の正面側（前方側）とし、その前方側から見たときの上下左右方向を基準として説明する。
【００１７】
間仕切パネル１は、例えば、オフィス、会議室、ショールーム、店舗等の建物内の室内を所定の区画に仕切るために用いられるものであり、図１，図２に示されるように、本実施例では、複数の間仕切パネル１，１，…，１Ａを組み合わせて移動間仕切装置１０を構成している。
【００１８】
移動間仕切装置１０は、室内空間の天井Ｒに設けられるレール３（誘導路）に沿って移動可能な一対の吊支部材９，９（図３参照）により上端が吊支される複数の間仕切パネル１，１，…と、側部閉塞装置２を有する最後尾の間仕切パネル１Ａ（複数の間仕切パネルの少なくとも一つ）と、から主に構成され、間仕切パネル１，１，…，１Ａをレール３に沿って図１において右側の側壁Ｗ’に設けられる移動規制端部Ｓ’側に所定の位置まで手動で順次移動させることによって、間仕切パネル１，１，…，１Ａを一列に連接させ、後述する上部閉塞部材１１及び下部閉塞部材１２がレール３及び床Ｆに向けて押し付けられるとともに、側部閉塞装置２の側部閉塞部材２０（図２参照）が側壁Ｗに設けられる移動規制端部Ｓ（壁部）に押し付けられることにより、天井Ｒから床Ｆに亘って室内空間を仕切ることができるようになっている。
【００１９】
尚、移動規制端部Ｓ，Ｓ’とは、移動間仕切装置１０を構成する間仕切パネル１，１，…，１Ａの内、先頭の間仕切パネル１、または、最後尾の間仕切パネル１Ａの側部閉塞部材２０が当接し、先頭の間仕切パネル１、または、最後尾の間仕切パネル１Ａの側部閉塞部材２０の移動を規制する端部を構成する所定の側壁部や支柱等のことである。
【００２０】
また、レール３には、収納レール３ａ，３ａが直交連結されており、収納レール３ａ，３ａは、間仕切パネル１，１Ａに固定された一対の吊支部材９，９と略同一寸法離間して配置されている。これにより、間仕切パネル１，１，…，１Ａを前後方向（連接方向に直交する方向）に並べて収納可能となっている。
【００２１】
次に、最後尾の間仕切パネル１Ａについて説明する。尚、他の間仕切パネル１の構成については、最後尾の間仕切パネル１Ａの構成と略同一態様であるため、重複する説明については省略する。
【００２２】
図３に示されるように、最後尾の間仕切パネル１Ａは、前後に間隔をおいて対向配置される一対のガラスパネル４，４（パネル部材）と、ガラスパネル４，４を一体に保持する枠部材５（上部フレーム６、縦フレーム７，７Ａ（パネル支持体）及び下部フレーム８）と、上部フレーム６または下部フレーム８に収納される上部閉塞部材１１または下部閉塞部材１２と、上部閉塞部材１１または下部閉塞部材１２に収納される上角部閉塞部材３１または下角部閉塞部材３２と、上部閉塞部材１１または下部閉塞部材１２を進退動作させる上部進退機構６５または下部進退機構８５（図７参照）と、から主に構成される二重ガラスパネル構造を成し、パネル材として透明のガラスパネル４，４が使用されることにより、間仕切パネル１，１，…，１Ａによって仕切られる室内空間の開放感を演出することができるとともに、強度や遮音性に優れている。尚、本実施例では、ガラスパネル４，４と枠部材５とが一体化されてパネル本体５０を構成している。
【００２３】
図３，図４を用いて、先ずガラスパネル４，４の構造について説明する。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２４】
図３に示されるように、前方のガラスパネル４には貫通孔４ｂが形成されており、貫通孔４ｂは、後述する側部閉塞装置２のアクセス部Ｃ（後述する六角ボルト頭部）に位置合わせされている。また、当該前方のガラスパネル４は、他のガラスパネル４の左右方向の寸法と略同一寸法である。
【００２５】
次に、枠部材５の構造について説明する。図３に示されるように、枠部材５は、ガラスパネル４，４の上端部に沿って取り付けられる上部フレーム６と、上端部が上部フレーム６の左右両端部に連結される一対の縦フレーム７，７Ａと、ガラスパネル４，４の下端部に沿って取り付けられ、左右両端部が一対の縦フレーム７，７Ａの下端部に連結される下部フレーム８と、から主に構成され、一対のガラスパネル４，４の上下左右端に沿って配置される、いわゆる四方枠形状を成している。
【００２６】
図４，図５に示されるように、上部フレーム６は、アルミ合金等の金属製の押出成形品であり、凹溝部６１（図４参照）が長手方向に沿って形成された前後一対の保持部６３，６３と、該保持部６３，６３の間に長手方向に沿って設けられる上部チャンネル部６２と、該保持部６３，６３を前後方向に連結する基部６４と、を備えている。凹溝部６１は、側方から見て下向きコ字状を成し、保持部６３は、凹溝部６１を介してガラスパネル４，４の上端部が上方から嵌合されることで、ガラスパネル４，４の上端部を保護している。また、上部チャンネル部６２には、上部閉塞部材１１、上角部閉塞部材３１（図４参照）及び上部進退機構６５（図７参照）が収納されている。
【００２７】
また、図５に示されるように、基部６４の側部閉塞装置２が取り付けられる側の端部６４ａは、側部閉塞装置２の左右方向の寸法と略同一寸法分、間仕切パネル１Ａの長手方向略中央側に位置しており、側部閉塞装置２が取り付けられない側の反対側の端部６４ｂは間仕切パネル１Ａの長手方向端部に位置している。尚、図示は省略するが、他の間仕切パネル１の上部フレームの基部は、両端部共に反対側の端部６４ｂと略同一構成となっている。
【００２８】
また、図４に示されるように、下部フレーム８は、上部フレーム６を上下に反転した形状と略同一形状であり、保持部８３，８３、下部チャンネル部８２，８２及び基部８４を備えている。下部フレーム８の保持部８３は、凹溝部８１を介してガラスパネル４，４の下端部が下方から嵌合されることで、ガラスパネル４，４の下端部を保護している。また、下部フレーム８の下部チャンネル部８２は、下部閉塞部材１２、下角部閉塞部材３２及び下部進退機構８５（図７参照）が収納されている。
【００２９】
図３に戻って、縦フレーム７は、最後尾の間仕切パネル１Ａの上下方向に延びる被覆部材７０と、該間仕切パネル１Ａの上下方向に延び被覆部材７０により被覆される芯部材７１と、から主に構成され、左右方向（連接方向）に厚みを有する板状を成し、ガラスパネル４，４の間に配設されている。被覆部材７０は、アルミ合金等の金属製の押出成形品であり、芯部材７１は、左右方向に厚みを有する鋼製の板材である。尚、他の間仕切パネル１，１，…では、縦フレーム７，７が対向配置されている。
【００３０】
また、図３，図５に示されるように、芯部材７１は、板状を成し、被覆部材７０の上方に突出する芯部材７１の上端部が、上部フレーム６の基部６４の端部６４ｂに面当接された状態で上部フレーム６の長手方向に延びる一対のネジ９５，９５（図５参照）で固定されている。尚、芯部材７１Ａは、上部フレーム６と同様に、下部フレーム８にも固定されている。
【００３１】
図３，図６に示されるように、縦フレーム７Ａ（一方のパネル支持体）は、ガラスパネル４，４の上下方向に亘って延びる上面視コ字状のカバー部材７２と、カバー部材７２の右端部の一対のリブ状の短板間に配置されて短板に覆われる芯部材７１Ａと、から主に構成され、左右方向に延び左方に開口するコ字チャンネル杆状を成し、ガラスパネル４，４の間に配設されている。
【００３２】
また、芯部材７１Ａは、芯部材７１と同様にその上端部がカバー部材７２の上方に突出しており、図５に示されるように、芯部材７１Ａの上端部が上部フレーム６の基部６４の端部６４ａに面当接された状態で、上部フレーム６の長手方向に延びる一対のネジで固定される。すなわち、縦フレーム７Ａは、上部フレーム６の側端部から側部閉塞装置２の左右方向の寸法分、縦フレーム７側に近付けて、上部フレーム６の長手方向中央側かつガラスパネル４，４の左右方向中央側に配置されている。尚、上部フレーム６と同様に、芯部材７１Ａは下部フレーム８にも固定されている。
【００３３】
また、図６，図７に示されるように、芯部材７１Ａの左側面の上端部には、正面視略直角三角形状の板状の延設板７３（延設体）（図７参照）が溶接固定されている。芯部材７１Ａは、芯部材７１と同様に剛性を有していることから、後述するように側部閉塞装置２が取り付けられた際に、該側部閉塞装置２を安定して支持することができる。芯部材７１Ａが左右方向に厚みを有する板状であることから、側部閉塞装置２を支持するための構成をコンパクトにすることができる。
【００３４】
図７に示されるように、延設板７３は、略直角部分から下方に延びる側端部が芯部材７１Ａに溶接固定されるとともに、該略直角部分から略水平方向に側部閉塞部材２０側に延びる上端部の先端側には、連結体７４が溶接固定されている。連結体７４には一方の吊支部材９が取り付けられている。間仕切パネル１Ａの一方の吊支部材９と他方の吊支部材９は、他の間仕切パネル１に取り付けられる吊支部材９，９の離間寸法と略同一寸法離間となっている。これにより、上述したように、他の間仕切パネル１，１，…と共に収納レール３ａ，３ａに収納することができるとともに、最後尾の間仕切パネル１Ａが吊支された際に、側部閉塞装置２の重量を支持する芯部材７１Ａを、該側部閉塞装置２の上方にて吊支部材９によって吊支することができるため、側部閉塞装置２の重量バランスを取ることができる。尚、延設板７３が略直角三角形状であるため連結体７４の固定の剛性が高い。
【００３５】
図６に示されるように、カバー部材７２は、アルミ合金等の金属製の押出成形品である上面視横向き略Ｆ字状に形成された二つの板材が各板材の短板部間に芯部材７１Ａを挿嵌し、二つの板材の短板部を突き合わせて対向配置された状態で、複数のボルト９６，９６，…によって固定されることで二つの板材が連結され、上面視コ字チャンネル杆状に形成されている。
【００３６】
カバー部材７２は、前後に対向配置された板状の側板部７２ｂ，７２ｂ’と、芯部材７１Ａが挿嵌される側とは反対側にて当該側板部７２ｂ，７２ｂ’から略垂直にそれぞれ外方に延出する被覆部７２ｃ，７２ｃと、を有し、側板部７２ｂ，７２ｂ’の間には移動規制端部Ｓ側に開口する収納部７２ｄが形成されている。尚、側板部７２ｂ，７２ｂ’の内、ガラスパネル４側に配置されるのが側板部７２ｂであり、前方のガラスパネル４側に配置されるのが側板部７２ｂ’である。
【００３７】
また、挿嵌部７２ａの前後の端部と側板部７２ｂ，７２ｂ’の前後の端部における被覆部７２ｃ，７２ｃ側には、ガラスパネル４，４との対向端面に上下方向に亘って凹条部７２ｅ，７２ｅ，…が形成されており、被覆部７２ｃ，７２ｃの前後の先端部は、ガラスパネル４，４の左右両側端に形成されるテーパ面に沿った形状に構成されている。
【００３８】
ここで、ガラスパネル４，４と縦フレーム７，７Ａとの連結について説明する。ガラスパネル４，４の内面と、縦フレーム７の被覆部材７０（図３参照）の側面とを透明な両面テープで貼付するとともに、前方のガラスパネル４の内面と、縦フレーム７Ａのカバー部材７２の側面とを透明な両面テープで貼付する。このようにしてガラスパネル４，４と縦フレーム７，７Ａとが固着されている。尚、ガラスパネル４，４の上下両端部は、カバー部材７２の上下に突出している。
【００３９】
また、図３に示されるように、側板部７２ｂ’には、前方のガラスパネル４の貫通孔４ｂと位置合わせされて貫通孔７２ｆが形成されており、ガラスパネル４，４と縦フレーム７，７Ａとが固着され、貫通孔７２ｆと貫通孔４ｂとが連通することで、アクセス部Ｃにアクセス可能なアクセス孔Ｈが形成される。尚、直接の図示は省略するが、アクセス部Ｃの操作を行うとき以外は、アクセス孔Ｈにキャップが装着され、アクセス部Ｃの保護がなされている。
【００４０】
次に、上部閉塞部材１１及び下部閉塞部材１２について説明する。図４，図７に示されるように、上部閉塞部材１１は、アルミ合金等の金属製の押出成形品であり、上部フレーム６と略同一寸法で左右方向に延びており、側方から見て下向きコ字形状を成している。下部閉塞部材１２は、上部閉塞部材１１を上下反転した形状と略同一形状であるため、その説明を省略する。
【００４１】
図７に示されるように、上部閉塞部材１１は、上部フレーム６の上部チャンネル部６２に収納された状態において、パネル本体５０よりも右側（間仕切り位置への進行方向）に向かって右端部（一方の先端部）が突出する。尚、下部閉塞部材１２も同様に、下部チャンネル部８２に収納された状態において、パネル本体５０よりも右側（間仕切り位置への進行方向）に向かって右端部（先端部）が突出する。
【００４２】
図９及び図１０に示されるように、上部閉塞部材１１及び下部閉塞部材１２は、隣接する間仕切パネル１の側端部に押圧されることにより、上部進退機構６５または下部進退機構８５によってレール３及び床Ｆに対して進退動作するようになっている。尚、上部閉塞部材１１及び下部閉塞部材１２を進退動作させる上部進退機構６５または下部進退機構８５は、捻りコイルバネ、または捻りコイルバネ及びリンク部材を組み合わせたリンク機構等により構成されている。
【００４３】
次に、側部閉塞装置２について説明する。図７に示されるように、側部閉塞装置２は、カバー部材７２の収納部７２ｄに収納可能な側部閉塞部材２０と、縦フレーム７Ａの芯部材７１Ａに固定されるベース杆２３と、ベース杆２３に固定され側部閉塞部材２０を左右方向に進退動作させる側部進退機構２５と、側部閉塞部材２０とベース杆２３との間に介在し当該側部閉塞部材２０を支持する二つのリンク機構３５，３５と、から構成されており、側部進退機構２５の進退動作に応じて側部閉塞部材２０を進退可能となっている。
【００４４】
図６，図７に示されるように、側部閉塞部材２０は、ガラスパネル４，４の上下方向に亘って延び縦フレーム７Ａ側に開口する上面視コ字状かつカバー部材７２の内方側に収納可能に形成された本体部材２１と、該本体部材２１と略同一の上下寸法に形成され本体部材２１の底板部２１ａに固定される支持杆２２と、から構成されており、支持杆２２には側部進退機構２５及び各リンク機構３５，３５が連結されている。
【００４５】
図６に示されるように、本体部材２１は、アルミ合金等の金属製の押出成形品である上面視横向きＬ字状に形成された二つの板材が短板部を突き合わせて対向配置させた状態で、２つの板材の短板部に上面視コ字状に形成された板状の底板部２１ａがボルトによって固定されることで二つの板材が連結され、上面視コ字状に形成されている。
【００４６】
また、本体部材２１の底部の外側の前後両側端部には、上下方向に亘ってゴムで形成された緩衝部材９０，９０が前後に離間して取り付けられている。これにより、本体部材２１が移動規制端部Ｓに押圧された際の衝撃を緩衝できるとともに、本体部材２１と移動規制端部Ｓとの隙間を確実に閉塞することができる。また、本体部材２１の両側板部２１ｂ，２１ｂの端部には、それぞれゴムで形成されたシール部材９１，９１が上下方向に亘って取り付けられており、カバー部材７２と本体部材２１との隙間を密封可能となっている。
【００４７】
図７に示されるように、支持杆２２は、上下方向に長尺な角パイプ状の部材であり、上端部と下端部にそれぞれピンが溶接固定されている（図６参照）。これらピンが上角部閉塞部材３１または下角部閉塞部材３２と上下方向に相対移動可能に連結されている。これにより、上角部閉塞部材３１及び下角部閉塞部材３２は、側部閉塞部材２０の進退動作に応じて、上部閉塞部材１１または下部閉塞部材１２に対して相対的に長手方向に進退動作する。
【００４８】
図７に示されるように、ベース杆２３は、上下方向に長尺なＣ字チャンネル杆状の部材であり、ボルトナットによって芯部材７１Ａに固定されている。
【００４９】
図７に示されるように、側部進退機構２５は、支持杆２２の上下方向中央部に間に緩衝部材３３を介在させて取り付けられる上下方向に長尺な押引体２６と、ベース杆２３に回動可能に軸支される上下一対のレバー２７，２７と、該レバー２７及び押引体２６それぞれに回動可能に取り付けられる板状の長尺部材であるアーム体２８，２８と、レバー２７，２７それぞれに回動可能に軸支される上下方向に長尺な角パイプ状のリンク部材２９と、から構成されている。尚、アクセス部Ｃは、下方のレバー２７をベース杆２３に回動可能に軸支する六角ボルトの頭部であり、アクセス部Ｃとレバー２７は相対移動不能に固定されている。
【００５０】
次に、図８〜図１０を用いて、最後尾の間仕切パネル１Ａによる間仕切パネル１，１，…，１Ａと移動規制端部Ｓ、天井及び床との隙間の閉塞動作について説明する。先ず、図９（ａ）に示されるように、側部閉塞装置２の側部閉塞部材２０が収納状態にある最後尾の間仕切パネル１Ａを隣接する間仕切パネル１と移動規制端部Ｓとの間へと移動する。このとき、上部閉塞部材１１及び下部閉塞部材１２は隣接する間仕切パネル１の左側端部に当接している。また、側部閉塞部材２０の収納状態の際には、押引体２６がレバー２７に接近して配置されている（図８（ａ）参照）。
【００５１】
次いで、最後尾の間仕切パネル１Ａのアクセス部Ｃにハンドル（図示略）を取り付け、時計回りに回動させると、アーム体２８，２８を介して移動規制端部Ｓ側へと押動される押引体２６により側部閉塞部材２０は押動され、図９（ｂ）に示されるように、側部閉塞部材２０は移動し、その左側端部が移動規制端部Ｓに当接する。
【００５２】
ハンドルを操作してアクセス部Ｃの回動を続けると、側部閉塞部材２０の移動規制端部Ｓ側への移動は、該移動規制端部Ｓによって規制されていることから、パネル本体５０が隣接する間仕切パネル１側へと移動する。これに伴い、上部閉塞部材１１及び下部閉塞部材１２それぞれの側端部が隣接する間仕切パネル１の側端部に押圧されて、図１０（ａ）に示されるように、上部閉塞部材１１及び下部閉塞部材１２が天井Ｒまたは床Ｆに向かって進出し、当接する。また、パネル本体５０が移動し、ハンドルを回動させた角度が９０度に達すると（図８（ｂ）参照）、図１０（ｂ）に示されるように、パネル本体５０の右側端部が隣接する間仕切パネル１の左側端部に当接し、側部閉塞部材２０は進出状態となる。このようにして、最後尾の間仕切パネル１Ａにより間仕切パネル１，１，…，１Ａと移動規制端部Ｓ、天井及び床との隙間を閉塞することができる。尚、回動可能な範囲については、具体的な数値を限定するものではない。
【００５３】
また、逆の手順を行うことで、押引体２６がレバー２７に接近する。これらによって、押引体２６と連結されている側部閉塞部材２０を移動規制端部Ｓ側へ進出させたり、カバー部材７２の収納部７２ｄ内に後退させたりすることができる。
【００５４】
以上説明してきたように、本実施例の移動間仕切装置１０は、複数の間仕切パネル１，１，…，１Ａを連接し、最後尾の間仕切パネル１Ａと移動規制端部Ｓとの隙間を側部閉塞部材２０によって閉塞した際に、間仕切パネル１Ａと移動規制端部Ｓとの間に側部閉塞部材２０が配置されるだけであることから、ガラスパネル４，４，…，４Ａの連続性を持った印象を与えられる。
【００５５】
また、最後尾の間仕切パネル１Ａは、ガラスパネル４，４が他の間仕切パネル１，１，…のガラスパネル４，４，…の左右方向の寸法と略同一寸法であることから、最後尾の間仕切パネル１Ａと他の間仕切パネル１，１，…との統一感を演出することができる。
【００５６】
また、最後尾の間仕切パネル１Ａは、芯部材７１Ａが芯部材７１側に近付けて配置されることから、一対のガラスパネル４，４間に形成されるスペースに側部閉塞装置２を配置することができる。
【００５７】
また、間仕切パネル１，１，…，１Ａのガラスパネル４，４，…，４Ａは、透光性を有していることから、開放感を演出することができる。
【００５８】
また、枠部材５は上部フレーム６、一対の縦フレーム７，７Ａ及び下部フレーム８が一体に連結されて構成されており、枠部材５の構造強度を確保しながら、上部フレーム６、一対の縦フレーム７，７Ａ及び下部フレーム８によって囲まれる領域における、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【００５９】
また、上部フレーム６の凹溝部６１，６１または下部フレーム８の凹溝部８１，８１は、間仕切パネル１を移動させるときや間仕切パネル１，１，…，１Ａを連接させるときの衝撃等により、一対のガラスパネル４，４が離間または近接する方向に移動することを防止できる。そのため、両面テープからガラスパネル４，４を剥がす方向に力が働くことを抑制でき、ガラスパネル４，４の剥がれ落ちを防止でき耐震性も向上する。
【００６０】
また、最後尾の間仕切パネル１Ａは、ガラスパネル４，４の左右方向の寸法が他の間仕切パネル１のガラスパネル４，４の左右方向の寸法と略同一寸法であり、吊支部材９，９の離間寸法が他の間仕切パネル１の吊支部材９，９の離間寸法と略同一寸法であることから、他の間仕切パネル１，１，…と共に収納レール３ａ，３ａに収納した際に、各間仕切パネル１，１，…，１Ａの左右端部が揃えられた状態となることから、収納状態において人や物が接触し難く、見栄えもよい。
【００６１】
次に、図１１を用いて、最後尾の間仕切パネルの変形例について説明する。尚、前記実施例に示される構成部分と同一構成部分に付いては同一符号を付して重複する説明を省略する。
【００６２】
前記実施例の最後尾の間仕切パネル１Ａは、ガラスパネル４，４が他の間仕切パネル１，１，…のガラスパネル４，４，…の左右方向の寸法と略同一寸法である態様として説明したが、本変形例にあっては、図１１に示されるように、最後尾の間仕切パネル１０１Ａのガラスパネル１０４，１０４は、連接方向において他の間仕切パネル１，１，…のガラスパネル４，４，…の寸法Ｌ１よりも側部閉塞装置２の寸法Ｌ２分長尺に形成されている。尚、直接の図示は省略するが、上部フレーム６、下部フレーム８、上部閉塞部材１１および下部閉塞部材１２についてもガラスパネル１０４と同様に連接方向において長く形成されている。
【００６３】
これにより、最後尾の間仕切パネル１０１Ａのガラスパネル１０４，１０４の透光領域の幅は寸法Ｌ１であり、最後尾の間仕切パネル１０１Ａは他の間仕切パネル１，１，…と同じ幅の透光領域を確保できることから、複数の間仕切パネル１，１，…，１０１Ａを連接した際の見栄えが良い。
【００６４】
以上、本発明の実施例を図面により説明してきたが、具体的な構成はこれら実施例に限られるものではなく、本発明の要旨を逸脱しない範囲における変更や追加があっても本発明に含まれる。
【００６５】
例えば、前記実施例では、側部閉塞装置２を有する間仕切パネル１Ａは、最後尾に配置される態様として説明したが、これに限らず、先頭や間仕切パネル１，１の間等、その配置は適宜変更されてもよい。また、他の間仕切パネルに関しては、本実施例における最後尾の間仕切パネル１Ａの構成と略同一態様であることに限らず、例えば、梯子状の枠体にパネル部材が貼り付けられたものでもよく、適宜選択されればよい。
【００６６】
側部閉塞装置２は、芯部材７１Ａに支持されている態様として説明したが、これに限らず、上部フレーム６に吊支される、または、下部フレーム８に載置される態様であってもよく、新たに上下方向に延びる縦杆部材等を用いて支持される態様であってもよく、その支持態様が限定されるものではない。
【００６７】
一方のパネル支持体は、縦フレーム７Ａである態様として説明したが、これに限らず、一方のパネル支持体も縦フレーム７であってもよい。すなわち、一方のパネル支持体の全体が一対のガラスパネル４，４の連接方向中心部側に寄せて配置され、側部閉塞装置２を支持している態様であってもよい。
【００６８】
延設板７３は、芯部材７１Ａに溶接固定されている態様であるとして説明したが、これに限らず、ベース杆２３に固定されることで、間接的に芯部材７１Ａ（縦フレーム７Ａ）に支持される態様であってもよい。
【００６９】
パネル部材は、ガラスパネル４，４である態様として説明したが、これに限らず、木板や不透明に着色された樹脂製の板等、不透明のものが適宜使用されてもよい。また、各ガラスパネルの左右方向の寸法は適宜変更されてもよく、その構成が限定されるものではない。
【００７０】
側部進退機構２５は、時計回りまたは反時計回りにハンドルを介して９０度回動させる態様であるとして説明したが、これに限らず、他の手動態様やアクチュエータ等の電動態様等、側部閉塞部材２０を進退動作可能であればよく、その構成が限定されるものではない。
【符号の説明】
【００７１】
１                間仕切パネル
１Ａ，１０１Ａ    最後尾の間仕切パネル（複数の間仕切パネルの少なくとも一つ）
２                側部閉塞装置
３                レール（誘導路）
４，１０４        ガラスパネル（パネル部材）
７                縦フレーム（パネル支持体）
７Ａ              縦フレーム（一方のパネル支持体）
９                吊支部材
１０              移動間仕切装置
２０              側部閉塞部材
７３              延設板（延設体）
Ｆ                床
Ｒ                天井
Ｓ                移動規制端部（壁部）
Ｗ，Ｗ’          側壁
【図１】
2019143337.tif 000003
【図２】
2019143337.tif 000004
【図３】
2019143337.tif 000005
【図４】
2019143337.tif 000006
【図５】
2019143337.tif 000007
【図６】
2019143337.tif 000008
【図７】
2019143337.tif 000009
【図８】
2019143337.tif 000010
【図９】
2019143337.tif 000011
【図１０】
2019143337.tif 000012
【図１１】
2019143337.tif 000013